(57)【要約】【課題】薄膜マルチ記録ヘッドを回転ドラムに搭載しヘリカルスキャンにて磁気テープに記録する場合に生じるトラック幅などの揺らぎを除去または軽減する。【解決手段】Ｎ個の薄膜記録ヘッドＷ１〜Ｗ４がヘッド走行方向からみて一部オーバラップαするように配置されているマルチ記録ヘッドＷＡを回転ドラムに１個搭載して、ドラム１回転でＮ個の記録トラックを所定の記録角度θでテープ上に形成するリカルスキャン磁気記録装置において、ドラム１回転目に、ヘッド幅Ｗより狭いトラック幅Ｔｐをもつ１〜（Ｎ−１）番目のトラックＴｒとヘッド幅と同じ幅のＮ番目のトラックを形成し、２回転目において、最初のヘッドＷ１が前記Ｎ番目のトラックを前記狭いトラックの幅と等しい幅にオーバーライトするように、ドラム回転数（ＲＰＳ）、テープ速度Ｖ１を、Ｖ１＝Ｔｐ・Ｎ・（ＲＰＳ）／ｓｉｎθの式で決め、連続した同一トラックピッチの記録を可能にする。【選択図】  図５
2005011456.tif 000002
【特許請求の範囲】
【請求項１】
Ｎ個（Ｎは任意の整数）の記録ヘッドが１チャンネルから（Ｎ−１）チャンネルの記録トラックの幅がヘッド幅より小さく記録できるように設けられた薄膜マルチ記録ヘッドが回転ドラムに１個搭載されて、ドラム１回転でＮ個の記録トラックを所定の記録角度でテープ上に形成するヘリカルスキャンテープ磁気記録装置において、
前記回転ドラムの１回転目に、ヘッド幅より狭い同一のトラックピッチを持つ（Ｎ−１）個のトラックとそれより広い幅をもつ１個のトラックを形成し、２回転目において、最初の記録ヘッドが前記広い幅をもつトラックの幅を前記ヘッド幅より狭いトラックの幅と等しい幅にオーバーライトするように、ドラム回転数とテープ速度が下記の式で決められていることによって、連続したアジマスが同一でトラックピッチが同一のヘリカルスキャン記録を可能にすることを特徴とするテープ磁気記録装置。
Ｖ１＝Ｔｐ・Ｎ・（ＲＰＳ）／ｓｉｎθ
ただし、Ｖ１：テープ速度、Ｔｐ：トラック幅、
Ｎ：薄膜マルチ記録ヘッドのギャップのマルチ数、
ＲＰＳ：ドラムの１秒当たりの回転数、θ：テープ上の記録角度
【請求項２】
Ｎ個（Ｎは任意の整数）のヘッドが１チャンネルから（Ｎ−１）チャンネルの記録トラックの幅がヘッド幅より小さく記録できるように設けられている同一構造の薄膜マルチ記録ヘッドが回転ドラムにＭ個（Ｍは任意の整数）等間隔に搭載されて、ドラム１回転で（Ｎ×Ｍ）本の記録トラックを所定の記録角度でテープ上に形成するヘリカルスキャンテープ磁気記録装置において、
前記回転ドラムの１回転目に、１個目の薄膜マルチ記録ヘッドが、ヘッド幅より狭い同一のトラック幅をもつ（Ｎ−１）個のトラックとそれより広い幅をもつ１個のトラックを形成し、２個目の薄膜マルチ記録ヘッドの第１番めのヘッドが前記広い幅をもつトラックを前記狭い幅をもつトラックの幅と等しい幅にオーバーライトするように、薄膜マルチ記録ヘッドの位置、高さと、ドラム回転数とテープ速度が以下の式のように決められていることによって、連続したアジマスが同一でトラックピッチが同一のヘリカルスキャン記録を可能にしたことを特徴とするテープ磁気記録装置。
Ｖ１＝Ｔｐ・Ｎ・（ＲＰＳ）／ｓｉｎθ・Ｍ
ただし、Ｖ１：テープ速度、Ｔｐ：トラック幅、
Ｎ：薄膜マルチ記録ヘッドのギャップのマルチ数、
ＲＰＳ：ドラムの１秒当たりの回転数、θ：テープ上の記録角度
Ｍ：薄膜マルチ記録ヘッドの数
【請求項３】
請求項１又は２において、
２回転目以降あるいは２番目以降のヘッドの記録でドラム回転あるいはテープ走行などのゆらぎのために、前記広い幅をもつ１個のトラックが等しいトラック幅にオーバーライトできなかった場合でも、未記録領域が発生しないように、最後のトラックを記録するＮチャンネルのヘッド幅が１〜（Ｎ−１）のチャンネルのヘッドより十分に大きな幅をもつマルチ記録ヘッドであることを特徴とするテープ磁気記録装置。
【請求項４】
請求項１又は２又は３において、
前記薄膜マルチ記録ヘッドは、非磁性基板上に絶縁層を介して所定のギャップが形成された一対の薄膜磁極、磁気シールド層の順に積層して構成した薄膜記録ヘッドに、さらに上記積層方向に磁気シールド層、所定のギャップが形成された一対の薄膜磁極、磁気シールド層の順に積層すると共に、積層した複数の一対の薄膜磁極を積層方向に一部オーバラップするようにずらして形成されていることを特徴とするテープ磁気記録装置。
【請求項５】
Ｎ個（Ｎは任意の整数）のヘッドが１チャンネルからＮチャンネルのヘッド幅がトラックピッチより小さくトラック間にガードバンドを有するように記録できるように設けられている薄膜マルチ記録ヘッドが回転ドラムに１個搭載されて、ドラム１回転でＮ本の記録トラックを所定の記録角度でテープ上に形成するヘリカルスキャンテープ磁気記録装置において、
回転ドラムの１回転目に、（Ｎ−１）個の同一のトラックピッチでヘッド幅と同じ幅のＮ個のトラックを形成し、２回転目のヘッドの記録において、同じトラックピッチでトラックが形成されるように、ドラム回転数とテープ速度が以下の式で決められていることによって、連続したアジマスが同一でトラックピッチが同一のヘリカルスキャン記録を可能にしたことを特徴とするテープ磁気記録装置。
Ｖ１＝Ｔ・Ｎ・（ＲＰＳ）／ｓｉｎθ
ただし、Ｖ１：テープ速度、Ｔ：トラックピッチ、
Ｎ：薄膜マルチ記録ヘッドのギャップのマルチ数、
ＲＰＳ：ドラムの１秒当たりの回転数、θ：テープ上の記録角度
【請求項６】
Ｎ個（Ｎは任意の整数）のヘッドが１チャンネルからＮチャンネルのヘッド幅がトラックピッチより小さくトラック間にガードバンドを有するように記録できるように設けられている薄膜マルチ記録ヘッドが回転ドラムにＭ個（Ｍは任意の整数）搭載されて、ドラム１回転で（Ｎ×Ｍ）本の記録トラックを所定の記録角度でテープ上に形成するヘリカルスキャンテープ磁気記録装置において、
前記回転ドラムの１回転目に、１個目の薄膜マルチ記録ヘッドが（Ｎ−１）個の同一のトラックピッチでヘッド幅と同じ幅のＮ個のトラックを形成し、２個目の薄膜マルチ記録ヘッドの記録において、同じトラックピッチでトラックが形成されるように、ドラム回転数とテープ速度が以下の式で決められていることによって、連続したアジマスが同一でトラックピッチが同一のヘリカルスキャン記録を可能にしたことを特徴とするテープ磁気記録装置。
Ｖ１＝Ｔ・Ｎ・（ＲＰＳ）／ｓｉｎθ・Ｍ
ただし、Ｖ１：テープ速度、Ｔ：トラックピッチ、
Ｎ：薄膜マルチ記録ヘッドのギャップのマルチ数、
ＲＰＳ：ドラムの１秒当たりの回転数、θ：テープ上の記録角度
【請求項７】
請求項５又は６において、
前記ガードバンド部分を消去する状態にしておくために１個以上の消去ヘッドを前記ドラム内あるいはドラム外にもつことを特徴とするテープ磁気記録装置。
【請求項８】
請求項５又は６又は７において、
前記薄膜マルチ記録ヘッドは、非磁性基板上に絶縁層を介して、所定のギャップが形成された一対の薄膜磁極、磁気シールド層の順に積層して構成した薄膜記録ヘッドに、さらに上記積層方向に磁気シールド層、所定のギャップが形成された一対の薄膜磁極、磁気シールド層の順に積層すると共に、積層した複数の一対の薄膜磁極を隣接する側の端部との間を前記ガードバンドが形成されるようにずらして形成されていることを特徴とするテープ磁気記録装置。
【発明の詳細な説明】
【０００１】
【発明の属する技術分野】
本発明は、複数のギャップを持つ薄膜マルチヘッドで複数のトラックを同時記録し、同一のトラックピッチが形成されるようにドラム回転数とテープ速度を決めたヘリカルスキャンテープ記録装置に関する。
【０００２】
【従来の技術】
従来、ヘリカルスキャンテープ記録再生装置としては、例えば、特許文献１．２などがある。
【０００３】
【特許文献１】
特公平８−３４０２５号  （図３、図１０）
【０００４】
【特許文献２】
第２５１３２０４号  （図１）
上記ヘリカルスキャンテープ記録再生装置では、回転ドラムに複数のヘッドを持つマルチ記録ヘッド及び複数のヘッドを持つマルチ再生ヘッドを設け、マルチ記録ヘッドで複数のトラックを同時記録し、マルチ再生ヘッドで複数のトラックを同時再生している。
【０００５】
ヘリカルスキャンタイプの磁気記録装置の記録ヘッドとして薄膜素子を用いた薄膜マルチ記録ヘッド（マルチギャップを持つ記録素子）を用いたものがある（例えば、特許文献３）。
【０００６】
【特許文献３】
特開２００２−２１６３１３号  （図１、図２）
上記特許文献３の薄膜マルチ記録チヘッドについて図１５、図１６を用いて説明する。この薄膜マルチ記録ヘッド１０は、下側非磁性基板１１とその上に積層された下部絶縁層１２及び下部磁気シールド層１３ａと、この下部磁気シールド層１３ａと一体に形成されたＵ字状コア１６ａと、コア１６ａに巻かれたコイル１７ａからなる第１の薄膜記録ヘッドＷ１及びその保護層１８ａと、その上に積層された中間磁気シールド層１９及び下部磁気シールド層１３ｂと、この下部磁気シールド層１３ｂと一体に形成されたＵ字状コア１６ｂ、コア１６ｂに巻かれたコイル１７ｂからなる第２の薄膜記録ヘッドＷ２及びその保護層１８ｂと、その上に積層された上部絶縁層２０及び上側非磁性基板２１とにより構成されている。薄膜記録ヘッドＷ１とＷ２とは積層方向にずれた位置に形成されている。
【０００７】
下側非磁性基板１１及び上側非磁性基板２１は、例えば、アルチック（ＡｌＴｉｃ）からなり、上下の絶縁層１２、２０及び保護層１８ａ、１８ｂは、例えば、アルミナ（Ａｌ２Ｏ３）からなる。第１、第２の薄膜記録ヘッドＷ１、Ｗ２は、Ｕ字状コア１６の先端部が、下部磁極１４と上部磁極１５となっていて、これら下部磁極１４と上部磁極１５との間隙がギャップｇとなっている。
【０００８】
また、第２の薄膜記録ヘッドＷ２の下部磁極１３ｂは上記第１の薄膜記録ヘッドＷ１における下部磁極１４ａと下部磁気シールド層１３ａと一体に形成されたものと同様な形状に形成されており、したがって、中間磁気シールド層１３ｂの上に積層される。なお、この第２の薄膜記録ヘッドＷ２における下部磁極１４ｂと中間磁気シールド層１９とを一体に形成すること（共通化）も可能である。
【０００９】
コア１６にはコイル１７が巻回されており、該コイル１７に電流を流すと、ギャップｇに磁界が発生され、磁気テープには一対の磁極１４、１５の幅（ヘッド幅Ｗ（図１５参照））とほぼ同じ幅の記録トラックＴｒが形成される。
【００１０】
この第１の薄膜記録ヘッドＷ１と第２の薄膜記録ヘッドＷ２とは、ギャップｇ方向に対して直交する方向（積層方向に対しても直交する方向）にずれ、かつ、図１６のように一対の磁極１４、１５のそれぞれの端部が積層方向から見て隣接する側の端部がオーバーラップαするように形成されている。この薄膜マルチ記録ヘッド１０によれば、記録される記録トラックＴｒのトラック幅Ｔｐを一対の磁極１５の幅Ｗよりも小さくすることができ、記録密度の高密度化に貢献できる。
【００１１】
【発明が解決しようとする課題】
ところで、Ｎ個の薄膜記録ヘッドＷ１〜Ｗ（Ｎ）が高密度に設けられた薄膜マルチ記録ヘッドを回転ドラムに搭載しヘリカルスキャンにて磁気テープに記録すると、薄膜記録ヘッドＷ１〜Ｗ（Ｎ−１）の間での記録トラック幅の精度劣化あるいは揺らぎであるヘッドの取りつけ精度あるいはドラム回転の揺らぎ成分によるトラック幅に揺らぎが生じる。このため薄膜マルチ再生ヘッドによる再生が困難となる。
【００１２】
本発明は、このような課題に鑑みてなされたものであり、上記記録トラック幅などの揺らぎの原因を除去あるいは軽減することができる高記録密度のヘリカルスキャンタイプのテープ磁気記録装置を提供することを目的とする。
【００１３】
【課題を解決するための手段】
上記課題を解決するために、本発明のテープ磁気記録装置は、Ｎ個（Ｎは任意の整数）の記録ヘッドが１チャンネルから（Ｎ−１）チャンネルの記録トラックの幅がヘッド幅より小さく記録できるように設けられた薄膜マルチ記録ヘッドが回転ドラムに１個搭載されて、ドラム１回転でＮ個の記録トラックを所定の記録角度でテープ上に形成するヘリカルスキャンテープ磁気記録装置において、前記回転ドラムの１回転目に、ヘッド幅より狭い同一のトラックピッチを持つ（Ｎ−１）個のトラックとそれより広い幅をもつ１個のトラックを形成し、２回転目において、最初の記録ヘッドが前記広い幅をもつトラックの幅を前記ヘッド幅より狭いトラックの幅と等しい幅にオーバーライトするように、ドラム回転数とテープ速度を下記の式で決めることによって、未記録部分のない連続したアジマスが同一でトラックピッチが同一のヘリカルスキャン記録を可能にする  。
【００１４】
Ｖ１＝Ｔｐ・Ｎ・（ＲＰＳ）／ｓｉｎθ
ただし、Ｖ１：テープ速度、Ｔｐ：トラック幅、
Ｎ：薄膜マルチ記録ヘッドのギャップのマルチ数、
ＲＰＳ：ドラムの１秒当たりの回転数、θ：テープ上の記録角度。
【００１５】
または、Ｎ個（Ｎは任意の整数）のヘッドが１チャンネルから（Ｎ−１）チャンネルの記録トラック幅がヘッド幅より小さく記録できるように設けられている同一構造の薄膜マルチ記録ヘッドが回転ドラムにＭ個（Ｍは任意の整数）等間隔に搭載されて、ドラム１回転で（Ｎ×Ｍ）本の記録トラックを所定の記録角度でテープ上に形成するヘリカルスキャンテープ磁気記録装置において、前記回転ドラムの１回転目に、１個目の薄膜マルチ記録ヘッドが、ヘッド幅より狭い同一のトラック幅をもつ（Ｎ−１）個のトラックとそれより広い幅をもつ１個のトラックを形成し、２個目の薄膜マルチ記録ヘッドの第１番めのヘッドが前記広い幅をもつトラックを前記狭い幅をもつトラックの幅と等しい幅にオーバーライトするように、薄膜マルチ記録ヘッドの位置、高さと、ドラム回転数とテープ速度を以下の式のように決めることによって、未記録部分のない連続したアジマスが同一でトラックピッチが同一のヘリカルスキャン記録を可能にする  。
【００１６】
Ｖ１＝Ｔｐ・Ｎ・（ＲＰＳ）／ｓｉｎθ・Ｍ
ただし、  Ｍ：薄膜マルチ記録ヘッドの数。
【００１７】
あるいは、  Ｎ個（Ｎは任意の整数）のヘッドが１チャンネルからＮチャンネルのヘッド幅がトラックピッチより小さくトラック間にガードバンドを有するように記録できるように設けられている薄膜マルチ記録ヘッドが回転ドラムに１個搭載されて、ドラム１回転でＮ本の記録トラックを所定の記録角度でテープ上に形成するヘリカルスキャンテープ磁気記録装置において、回転ドラムの１回転目に、（Ｎ−１）個の同一のトラックピッチでヘッド幅と同じ幅のＮ個のトラックを形成し、２回転目のヘッドの記録において、同じトラックピッチでトラックが形成されるように、ドラム回転数とテープ速度を以下の式で決めることによって、連続したアジマスが同一でトラックピッチが同一のヘリカルスキャン記録を可能にする  。
【００１８】
Ｖ１＝Ｔ・Ｎ・（ＲＰＳ）／ｓｉｎθ
ただし、  Ｔ：トラックピッチ。
【００１９】
または、Ｎ個（Ｎは任意の整数）のヘッドが１チャンネルからＮチャンネルのヘッド幅がトラックピッチより小さくトラック間にガードバンドを有するように記録できるように設けられている薄膜マルチ記録ヘッドが回転ドラムにＭ個（Ｍは任意の整数）搭載されて、ドラム１回転で（Ｎ×Ｍ）本の記録トラックを所定の記録角度でテープ上に形成するヘリカルスキャンテープ磁気記録装置において、前記回転ドラムの１回転目に、１個目の薄膜マルチ記録ヘッドが（Ｎ−１）個の同一のトラックピッチでヘッド幅と同じ幅のＮ個のトラックを形成し、２個目の薄膜マルチ記録ヘッドの記録において、同じトラックピッチでトラックが形成されるように、ドラム回転数とテープ速度を以下の式で決めることによって、連続したアジマスが同一でトラックピッチが同一のヘリカルスキャン記録を可能にする。
【００２０】
Ｖ１＝Ｔ・Ｎ・（ＲＰＳ）／ｓｉｎθ・Ｍ
【００２１】
【発明の実施の形態】
以下に、本発明の詳細を添付図面に示した各実施の形態にしたがって説明する。
【００２２】
実施形態１
図１〜図６は本発明の実施形態１を示すもので、図１に示すように構成されたマルチ数Ｎの薄膜マルチ記録ヘッドＷＡを図３に示すように回転ドラム１の周辺部に１個搭載し、連続したアジマスが同一でトラックピッチが同一のヘリカルスキャン記録を可能にしたテープ磁気記録装置に関するものである。
【００２３】
回転ドラム１に搭載される薄膜マルチ記録ヘッドＷＡは、前出の特許文献３に開示された技術により作成されたもので、図１に示すように、同一アジマスの第１〜第４の薄膜記録ヘッドＷ１〜Ｗ４（マルチ数Ｎ＝４）を積層方向から見て隣接する側の端部がオーバーラップαするように形成され、２つの非磁性基板１１、２０で積層方向から狭持されている。
【００２４】
上記薄膜マルチ記録ヘッドＷＡの具体的構成について説明する。下側非磁性基板１１の上に、下部絶縁層１２と第１の下部磁気シールド層１３ａが順次形成され、このシールド層１３ａと一体に第１の下部磁極１４ａと第１の上部磁極１５ａを有するＵ字状コア１６ａが形成され、このコアにコイル１７ａが巻回されて第１の薄膜記録ヘッドＷ１が構成され、この記録ヘッドＷ１が形成されている層に保護層１８ａが施され、この保護層１８ａの上に第１の中間磁気シールド層１９ａ及び第２の下部磁気シールド層１３ｂが順次形成され、このシールド層１３ｂと一体に第２の下部磁極１４ｂと第２の上部磁極１５ｂを有するＵ字状コア１６ｂが形成され、このコアにコイル１７ｂが巻回されて第２の薄膜記録ヘッドＷ２が構成され、この記録ヘッドＷ２が形成された層に保護層１８ｂが形成される。
【００２５】
そして上記保護層１８ｂの上に、第２の中間磁気シールド層１９ｂ及び第３の下部磁気シールド層１３ｃが順次形成され、この下部磁気シールド層１３ｃと一体に第３の下部磁極１４ｃと第３の上部磁極１５ｃを有するＵ字状コア１６ｃが形成され、このコアにコイル１６ｃが巻回されて第３の薄膜記録ヘッドＷ３が構成され、この記録ヘッドＷ３が形成された層に保護層１８ｃが形成され、さらにこの保護層１８ｃの上に第３の中間磁気シールド層１９ｃ及び第４の下部磁気シールド層１３ｄが順次形成され、この下部磁気シールド層１３ｄと一体に第４の下部磁極１４ｄと第４の上部磁極１５ｄを有するＵ字状コア１６ｄが形成され、このコアにコイル１７ｄが巻回されて第４の薄膜記録ヘッドＷ４が構成され、この記録ヘッドＷ４が形成された層に保護層１８ｄが形成され、そしてこの保護層１８ｃの上に上部絶縁層２０と上側非磁性基板２１が順次形成されて薄膜マルチ記録ヘッドＷＡが構成されている。
【００２６】
上記薄膜記録ヘッドＷ１〜Ｗ４は、図２に示すように積層方向に一部オーバラップαするようにずらして配置されている。そして薄膜記録ヘッドＷ１〜Ｗ４は、各ヘッド幅（ギャップ幅）Ｗは略１．２μｍ、ギャップｇは略０．１μｍ、オーバーラップαは略０．２μｍに形成されている。
に構成されている。
【００２７】
なお、薄膜記録ヘッドＷ１〜Ｗ４の各下部磁極１４ａ〜１４ｄは下部磁気シールド層１３ａ〜１３ｄの上面に凸条に一体に形成されている。また、薄膜記録ヘッドＷ２〜Ｗ４における下部磁気シールド層１３ｂ〜１３ｄと中間磁気シールド層１９ａ〜１９ｃとを一体に形成すること（共通化）も可能である。
【００２８】
上記薄膜マルチ記録ヘッドＷＡは、図４に示すように曲面状をした前面に薄膜記録ヘッドＷ１〜Ｗ４のギャップが縦方向となるように形成されされている。薄膜マルチ記録ヘッドＷＡは、その幅ａ及び奥行ｂは略２〜３ｍｍに、厚さｃは略０．２ｍｍに形成されている。
【００２９】
上記薄膜マルチ記録ヘッドＷＡは、図３、図６に示すように傾斜した回転ドラム１の円周面に取付けられる。またこの回転ドラム１の薄膜マルチ記録ヘッドＷＡの取付け位置と１８０度相違する位置に、ＭＲ素子等で構成された薄膜再生ヘッドＲ１〜Ｒ４を有する薄膜マルチ再生マルチヘッドＲが取付けられている。なお、薄膜マルチ再生マルチヘッドＲの薄膜再生ヘッドＲ１〜Ｒ４は、上記薄膜マルチ記録ヘッドＷＡにおける薄膜記録ヘッドＷ１〜Ｗ４と同様に配列されている。すなわち同一のギャップ配列となっている。
【００３０】
回転ドラム１はヘリカルスキャン記録が可能となるように傾斜した状態に取付けられており、磁気テープ２が回転ドラム１の周面１８０度の範囲に巻きついて走行するように設けられている。
【００３１】
磁気テープ２への記録は、磁気テープ２を矢印Ａ方向に走行させ、回転ドラム１を矢印Ｂ方向に回転させ、薄膜マルチ記録ヘッドＷＡの薄膜記録ヘッドＷ１〜Ｗ４の各コイル１７ａ〜１７ｄに同一のデータの電流を流して同時に記録する。各コイルに電流を流すと、薄膜記録ヘッドＷ１〜Ｗ４のギャップｇに磁界が発生し、回転ドラムの１回転毎に図４（ａ）に示すように磁気テープ２には第１〜第Ｎ番目の薄膜記録ヘッドＷ１〜Ｗ４（Ｗ（Ｎ））により１ｃｈ〜Ｎｃｈ（ｃｈ：チャンネル）の同一アジマスのトラックが同時に記録される。
【００３２】
図５（ａ）のように、薄膜記録ヘッドＷ１〜Ｗ３（Ｗ（Ｎ−１））により記録される１ｃｈ〜３ｃｈのトラック幅Ｔｐ（１）〜Ｔｐ（３）は、薄膜記録ヘッドＷ２〜Ｗ４によりオーバーライトされてヘッド幅Ｗよりオーバラップα分少ないトラック幅となるのに対し、第Ｎ番目（最後）の薄膜記録ヘッドＷ４（Ｗ（Ｎ））により記録される４ｃｈのトラックＴｒはオーバーライトされないため、そのトラック幅Ｔｐ（４）は薄膜記録ヘッドＷ４の幅Ｗと同じくなり、上記１ｃｈ〜３ｃｈのトラック幅Ｔｐ（１）〜Ｔｐ（３）と同じくならない。また、第Ｎ番目の薄膜記録ヘッドＷ４（Ｗ（Ｎ））により記録される４ｃｈのトラックＴｒと次の回転で薄膜記録ヘッドＷ１により記録される１ｃｈのトラックＴｒとの間に未記録部分ができる。
【００３３】
そのため図５（ｂ）に示すように、１回転目の記録の第Ｎ番目の薄膜記録ヘッドＷ４で記録された４ｃｈのトラックＴｒの一部が２回転目の記録における第１番目の膜記録ヘッドＷ１でオーバーライトされ、上記４ｃｈのトラック幅Ｔｐ（４）が上記１ｃｈ〜３ｃｈのトラック幅Ｔｐと同じくなるように、ドラム回転数と、テープ速度を（１）式で決めて記録する  。
【００３４】
Ｖ１＝Ｔｐ・Ｎ・（ＲＰＳ）／ｓｉｎθ      （１）
ただし、Ｖ１：テープ速度、Ｔｐ：トラック幅、
Ｎ：薄膜マルチ記録ヘッドのギャップのマルチ数、
ＲＰＳ：ドラムの１秒当たりの回転数、θ：テープ上の記録角度。
【００３５】
この実施形態によれば、ドラム１回転目に、オーバラップしたＮ個の薄膜記録ヘッドによりヘッド幅より狭い同一のトラック幅Ｔｐをもつ（Ｎ−１）個のトラックとヘッド幅と同じトラック幅Ｔｐをもつ１個のトラックが形成され、２回転目において、１回転目のヘッド幅と同じトラック幅Ｔｐをもつ記録トラックをトラックピッチに等しい幅にオーバーライトすることができるように、ドラム回転数とテープ速度を（１）式で決めているので、連続したアジマスが同一でトラックピッチが同一のヘリカルスキャン記録が可能になる。
【００３６】
そのため、薄膜マルチ記録ヘッドの薄膜記録ヘッドＷ１〜Ｗ（Ｎー１）の間での記録トラック幅の精度劣化あるいは揺らぎであるヘッドの取りつけ精度あるいはドラム回転の揺らぎ成分によるトラック幅揺らぎの原因を除去あるいは軽減が可能になる。
【００３７】
上記の薄膜マルチ記録ヘッドＷＡの薄膜記録ヘッドＷ１〜Ｗ４はヘッド幅Ｗが同一に形成されているが、図７に示すように最後の薄膜記録ヘッドＷ４（Ｗ（Ｎ））のヘッド幅Ｗを、トラック幅Ｔｐ＋α１の薄膜記録ヘッドＷ１〜Ｗ３（Ｗ（Ｎ−１））のヘッド幅Ｗより少し大きいトラック幅Ｔｐ＋α２のヘッド幅に形成しておくとよい（ただし、α２＞α１、α１＝α）。
【００３８】
上記のように、薄膜マルチ記録ヘッドＷＡ最後の薄膜記録ヘッドＷ４のヘッド幅Ｗを薄膜記録ヘッドＷ１〜Ｗ３のヘッド幅Ｗより少し大きく形成しておくと、２回転目以降のヘッドの記録でドラム回転あるいはテープ走行などのゆらぎのために、上記広い幅をもつ薄膜マルチ記録ヘッドＷ４によるトラックを薄膜マルチ記録ヘッドＷ１〜Ｗ３により記録されたトラック幅と等しいトラック幅にオーバーライトできなかった場合でも、未記録領域が発生しないように記録することが可能となる。
【００３９】
実施形態２
図８〜図１０に本発明の実施形態２を示す。この実施形態は、上述のマルチ数Ｎ（＝４）の薄膜マルチ記録ヘッドＷＡ（図１、図４）を図８に示すように回転ドラム１にＭ個（Ｍ＝２）搭載し、連続したアジマスが同一でトラックピッチが同一のヘリカルスキャン記録を可能にしたテープ磁気記録装置に関するものである。
【００４０】
上記２個の薄膜マルチ記録ヘッドＷＡ１、ＷＡ２は、図８に示すように回転ドラム１の１８０度異なる周辺に高さが同一となるように取付けられている。また、この回転ドラム１の薄膜マルチ記録ヘッドＷＡ１、ＷＡ２とが取付けられた周辺位置と９０度相違する周辺位置に薄膜マルチ記録ヘッドＷＡのマルチ数と同数の薄膜再生ヘッド（ＭＲヘッド等）Ｒ１〜Ｒ４を有する薄膜マルチ再生ヘッドＲが１個取付けられている。回転ドラム１はヘリカルスキャン記録が可能となるように傾斜して取付けられており、磁気テープ２が回転ドラム１の周面１８０度の範囲に巻きついて走行するように設けられている。
【００４１】
磁気テープ２への記録は、磁気テープ２を矢印Ａ方向に走行させ、回転ドラム１を矢印Ｂ方向に回転させ、それぞれ回転ドラム１の１８０度回転する間、薄膜マルチ記録ヘッドＷＡ１またはＷＡ２の薄膜記録ヘッドＷ１〜Ｗ４のコイルにそれぞれ記録する同じデータの電流を流して記録する。
【００４２】
薄膜マルチ記録ヘッドＷＡ１またはＷＡ２の薄膜記録ヘッドＷ１〜Ｗ４のコイルに電流を流すと、薄膜記録ヘッドＷ１〜Ｗ４の各ギャップｇに磁界が発生し、磁気テープ２には薄膜マルチ記録ヘッドＷＡ１またはＷＡ２の薄膜記録ヘッドＷ１〜Ｗ４により同一アジマスの１ｃｈ〜ＮｃｈのトラックＴｒが回転ドラムの１／２回転毎に記録される。
【００４３】
この薄膜マルチ記録ヘッドＷＡ１またはＷＡ２の薄膜記録ヘッドＷ１〜Ｗ３（Ｗ（Ｎ−１））により記録される１ｃｈ〜３ｃｈのトラックＴｒのトラック幅Ｔｐ（１）〜Ｔｐ（３）は、図１０（ａ）に示すように、ヘッド幅Ｗよりオーバラップα分少ないトラック幅Ｔｐとなるのに対し、第Ｎ番目の薄膜記録ヘッドＷ４により記録される４ｃｈのトラック幅Ｔｐ（４）は、２番目の記録で薄膜マルチ記録ヘッドＷＡ２の薄膜記録ヘッドＷ１による記録トラックがオーバラップしないので薄膜記録ヘッドＷ４のヘッド幅Ｗと同じくなり、１ｃｈ〜３ｃｈのトラック幅Ｔｐ（１）〜Ｔｐ（３）と同じくならない。そのため薄膜マルチ記録ヘッドＷＡ１（又はＷＡ２）の最後の薄膜記録ヘッドＷ４（Ｗ（Ｎ））により記録されるＮｃｈのトラックＴｒの一部に重なるように薄膜マルチ記録ヘッドＷＡ２（又はＷＡ１）の薄膜記録ヘッドＷ１でオーバーライトされＮｃｈのトラック幅Ｔｐ（４）が１ｃｈ〜３ｃｈのトラック幅Ｔｐ（１）〜Ｔｐ（３）と同じくなるように、薄膜マルチ記録ヘッドの位置、高さと、ドラム回転数とテープ速度を（２）式で決めて記録する  。
【００４４】
Ｖ１＝Ｔｐ・Ｎ・（ＲＰＳ）／ｓｉｎθ・Ｍ      （２）
ただし、Ｖ１：テープ速度、Ｔｐ：トラック幅、
Ｎ：薄膜マルチ記録ヘッドのギャップのマルチ数、
ＲＰＳ：ドラムの１秒当たりの回転数、θ：テープ上の記録角度
Ｍ：薄膜マルチ記録ヘッドの数。
【００４５】
この実施形態によれば、回転ドラムの１回転目に、１個の薄膜マルチ記録ヘッドＷＡ１が、（Ｎ−１）個の同一のトラック幅Ｔｐをもつ１ｃｈ〜（Ｎ−１）ｃｈの（Ｎ−１）個のトラックとそれより広い幅をもつＮｃｈの１個のトラックを形成し、２個目の薄膜マルチ記録ヘッドＷＡ２の最初の記録ヘッドＷ１がその前の上記Ｎ個目のトラックを上記（Ｎ−１）個のトラック幅Ｔｐにオーバーライトするように、薄膜記録ヘッドの位置、高さとドラム回転数とテープ速度を上記（２）式で決めているので、図１０（ｂ）に示すように連続したアジマスが同一でトラックピッチが同一のヘリカルスキャン記録が可能になる。
【００４６】
そのため、各薄膜マルチ記録ヘッドの薄膜記録ヘッドＷ１〜Ｗ（Ｎー１）の間での記録トラックの幅の精度劣化あるいは揺らぎであるヘッドの取りつけ精度あるいはドラム回転の揺らぎ成分によるトラック幅揺らぎの原因を除去あるいは軽減が可能になる。
【００４７】
上記の薄膜マルチ記録ヘッドＷＡの薄膜マルチ記録ヘッドＷ１〜Ｗ４はヘッド幅Ｗが同一に形成されているが、上述した図７のように、薄膜マルチ記録ヘッドの最後の薄膜記録ヘッドＷ４のヘッド幅Ｗを薄膜記録ヘッドＷ１〜Ｗ３のヘッド幅Ｗより少し大きく形成しておくことで、２番目以降のヘッドの記録でドラム回転あるいはテープ走行などのゆらぎのために、上記広い幅をもつ薄膜マルチ記録ヘッドの最後の薄膜マルチ記録ヘッドＷ４によるトラックを薄膜マルチ記録ヘッドＷ１〜Ｗ３により記録されたトラック幅と等しいトラック幅にオーバーライトできなかった場合でも、未記録領域が発生しないように記録することが可能となる。
【００４８】
実施形態３
図１１〜図１４は本発明の実施形態３を示すもので、図１１、図１３（ａ）に示すように構成されたマルチ数Ｎの薄膜マルチ記録ヘッドＷＢを図１１に示すように回転ドラム１に１個搭載し、連続したアジマスが同一でトラックピッチが同一のヘリカルスキャン記録を可能にしたテープ磁気記録装置に関するものである。
【００４９】
この薄膜マルチ記録ヘッドＷＢは、記録した際図１３に示すように薄膜記録ヘッドＷ１〜Ｗ４（Ｗ（Ｎ））のヘッド幅Ｗと同一のトラック幅ＴｐのトラックＴｒがトラックＴｒ間にガードバンドβが形成されるように構成されている。すなわち図１１、図１３（ａ）に示すように積層方向から見て薄膜記録ヘッドＷ１〜Ｗ４の端部間がガードバンドβ分だけ離れるように構成されている。この点を除き薄膜マルチ記録ヘッドＷＢは、上記図１の薄膜マルチ記録ヘッドＷＡと同様に構成されている。よって同一構成部分には同一符号を付し重複する説明を省略する。
【００５０】
上記薄膜マルチ記録ヘッドＷＢは、図１２に示すように回転ドラム１の周辺部に１個取付けられている。この回転ドラム１の薄膜マルチ記録ヘッドＷＢが取付けられた周辺位置と１８０異なる位置に薄膜再生ヘッド（ＭＲヘッド等）Ｒ１〜Ｒ４を有する薄膜マルチ再生ヘッドＲが１つ取付けられている。また、記録トラック間（ガードバンド部分）に記録が残らないように記録するため、１本の縦方向に長いギャップｇを有する消去ヘッドＥ又はＥ′（図１３（ｂ））が回転ドラム１に搭載又はガイドローラ３付近に設けられている。回転ドラム１はヘリカルスキャン記録が可能となるように傾斜して取付けられており、磁気テープ２が回転ドラム１の周面１８０度の範囲に巻きついて走行するように設けられている。
【００５１】
磁気テープ２への記録は、磁気テープ２を矢印Ａ方向に走行させ、回転ドラム１を矢印Ｂ方向に回転させ、薄膜マルチ記録ヘッドＷＢが磁気テープ２に接触している間、薄膜マルチ記録ヘッドＷＢの薄膜記録ヘッドＷ１〜Ｗ４の各コイル（図示省略）に同時に電流を流して記録する。
【００５２】
薄膜マルチ記録ヘッドＷＢの薄膜記録ヘッドＷ１〜Ｗ４のコイルに記録するデータの電流を流すと、薄膜記録ヘッドＷ１〜Ｗ４のギャップｇに磁界が発生し、磁気テープ２には薄膜マルチ記録ヘッドＷＢの第１〜第Ｎ番目の薄膜記録ヘッドＷ１〜Ｗ４（Ｗ（Ｎ））により１ｃｈ〜Ｎｃｈの同一アジマスのトラックが図１４に示すように回転ドラムの１回転毎に同時に記録される。
【００５３】
この薄膜マルチ記録ヘッドＷＢの１回転目に第１〜第（Ｎ−１）番目の薄膜記録ヘッドＷ１〜Ｗ３（Ｗ（Ｎ−１））により記録される１ｃｈ〜３ｃｈのトラックＴｒのトラックピッチＴはトラック幅Ｔｐ（＝ヘッド幅Ｗ）＋ガードバンドβとなるのに対し、１回転目の第Ｎ番目の薄膜記録ヘッドＷ４（Ｗ（Ｎ））により記録される４ｃｈのトラックＴｒと２回転目の第１番目の薄膜記録ヘッドＷ１により記録される１ｃｈのトラックＴｒとの間隔（４ｃｈのトラックピッチ）Ｔ′は上記１ｃｈ〜３ｃｈのトラックＴｒのトラックピッチＴと同じくならない。
【００５４】
そのため上記間隔Ｔ′が、薄膜記録ヘッドＷ１〜Ｗ３（Ｗ（Ｎ−１））により記録されるトラックＴｒのトラックピッチＴと同じくなるように、ドラム回転数とテープ速度を（３）式で決めて記録する  。
【００５５】
Ｖ１＝Ｔ・Ｎ・（ＲＰＳ）／ｓｉｎθ      （３）
ただし、Ｖ１：テープ速度、Ｔ：トラックピッチ、
Ｎ：薄膜マルチ記録ヘッドのギャップのマルチ数、
ＲＰＳ：ドラムの１秒当たりの回転数、θ：テープ上の記録角度。
【００５６】
この実施形態によれば、同じトラックピッチＴが形成されるようにドラム回転数とテープ速度を（３）式で決めたので、連続した同一アジマスで同一ガードバンド、同一トラックピッチのヘリカルスキャン記録が可能になる。
【００５７】
そのため、薄膜マルチ記録ヘッドの薄膜記録ヘッドＷ１〜Ｗ（Ｎ−１）の間での記録トラックの幅の精度劣化あるいは揺らぎであるヘッドの取りつけ精度あるいはドラム回転の揺らぎ成分によるトラック幅揺らぎの原因を除去あるいは軽減が可能になる。
【００５８】
この実施の形態は、回転ドラム１に１個の薄膜マルチ記録ヘッドＷＢが搭載されている場合の例であるが、回転ドラム１にＭ個の薄膜マルチ記録ヘッドＷＢが等間隔に搭載されている場合は、１番目の薄膜マルチ記録ヘッドの記録においてＮ個の同一のトラック幅ＴｐのトラックＴｒおよび（Ｎ−１）個の同一のトラックピッチを形成し、２番目の薄膜マルチ記録ヘッドの記録において同じトラックピッチＴが形成されるように、ドラム回転数とテープ速度２を、（４）式で決める  。
【００５９】
Ｖ１＝Ｔ・Ｎ・（ＲＰＳ）／ｓｉｎθ・Ｍ      （４）
【００６０】
【発明の効果】
本発明は、Ｎ個のヘッドが１チャンネル〜（Ｎ−１）チャンネルの記録幅がヘッド幅より小さく記録できるように設けられている薄膜マルチ記録ヘッドが回転ドラムに１個搭載されているテープ磁気記録装置において、トラック幅が同じくなるように、ドラム回転速度とテープ速度が、Ｖ１＝Ｔｐ・Ｎ・（ＲＰＳ）／ｓｉｎθ  の式で決められている。また、Ｎ個のヘッドが１チャンネル〜（Ｎ−１）チャンネルの記録幅がヘッド幅より小さく記録できるように設けられている薄膜マルチ記録ヘッドが回転ドラムにＭ個搭載されているテープ磁気記録装置において、トラック幅が同じくなるようにドラム回転速度とテープ速度が、Ｖ１＝Ｔｐ・Ｎ・（ＲＰＳ）／ｓｉｎθ・Ｍ  の式で決められている。そのため、トラック幅が同じくなるように記録され、薄膜マルチ記録ヘッドの薄膜記録ヘッドＷ１〜Ｗ（Ｎー１）の間での記録トラック幅の精度劣化あるいは揺らぎであるヘッドの取りつけ精度あるいはドラム回転の揺らぎ成分によるトラック幅揺らぎの原因を除去あるいは軽減が可能になる。
【００６１】
そして、薄膜マルチ記録ヘッドの最後の薄膜記録ヘッドＷ（Ｎ）のはばを大きくした場合は、トラック幅と等しいトラック幅にオーバーライトできなかった場合でも、未記録領域が発生しないように記録することが可能となる。
【００６２】
また、Ｎ個のヘッドが１チャンネルからＮチャンネルのヘッド幅がトラックピッチより小さくトラック間にガードバンドを有するように記録できるように設けられている薄膜マルチ記録ヘッドが回転ドラムに１個搭載されているテープ磁気記録装置において、トラックピッチが同一となるようにドラム回転速度とテープ速度が、Ｖ１＝Ｔ・Ｎ・（ＲＰＳ）／ｓｉｎθ  の式で決められている。また、Ｎ個のヘッドが１チャンネルからＮチャンネルのヘッド幅がトラックピッチより小さくトラック間にガードバンドを有するように記録できるように設けられている薄膜マルチ記録ヘッドが回転ドラムに１個搭載されているテープ磁気記録装置において、トラックピッチが同一となるようにドラム回転速度とテープ速度が、Ｖ１＝Ｔ・Ｎ・（ＲＰＳ）／ｓｉｎθ  の式で決められている。そのため、トラックピッチが同一となり、薄膜マルチ記録ヘッドの薄膜記録ヘッドＷ１〜Ｗ（Ｎー１）の間での記録トラック幅の精度劣化あるいは揺らぎであるヘッドの取りつけ精度あるいはドラム回転の揺らぎ成分によるトラック幅揺らぎの原因を除去あるいは軽減が可能になる。
【図面の簡単な説明】
【図１】実施形態１にかかる薄膜マルチ記録ヘッドの概略斜視図。
【図２】薄膜マルチ記録ヘッドと記録トラックとの関係説明図。
【図３】回転ドラムと磁気テープとの関係を示す概略平面図。
【図４】薄膜マルチ記録ヘッドを示す斜視図。
【図５】記録パターン例説明図。
【図６】回転ドラムに搭載された薄膜マルチ記録ヘッド及び薄膜マルチ再生ヘッドの各薄膜ヘッドのドラム周方向の配置状態説明図。
【図７】記録パターン例説明図。
【図８】実施形態２に係る回転ドラムと磁気テープとの関係を示す概略平面図。
【図９】記録パターン例説明図。
【図１０】回転ドラムに搭載された薄膜マルチ記録ヘッド及び薄膜マルチ再生ヘッドの各薄膜ヘッドのドラム周方向の配置状態説明図。
【図１１】実施形態３に係る薄膜マルチ記録ヘッドと記録トラックとの関係説明図。
【図１２】回転ドラムと磁気テープとの関係を示す概略平面図。
【図１３】薄膜マルチ記録ヘッドおよび消去ヘッドを示す斜視図
【図１４】記録パターン例説明図。
【図１５】従来例に係る薄膜マルチ記録ヘッドの概略斜視図。
【図１６】薄膜マルチ記録ヘッドと記録トラックとの関係説明図。
【符号の説明】
１…回転ドラム、  ２…磁気テープ、
１０、ＷＡ、ＷＢ…薄膜マルチ記録ヘッド、  Ｗ１〜Ｗ４…薄膜記録ヘッド、
Ｒ…薄膜マルチ再生ヘッド、  Ｒ１〜Ｒ４…薄膜再生ヘッド、
１１…下側非磁性基板、  １２…下部絶縁層、  １３…磁気シールド層、
１４…下部磁極、  １５…上部磁極、  １６…Ｕ字状コア、
１７…コイル、  １８…保護層、  １９…中間磁気シールド層、
２０上部絶縁層、  ２１上側非磁性基板、
Ａ…テープ走行方向、  Ｂ…回転ドラム回転方向、
Ｃ…ヘッド走行方向、  Ｔｒ…トラック、  Ｔ…トラックピッチ、
Ｔｐ…トラック幅、  Ｗ…ヘッド幅
ｇ…ギャップ、  α…オーバーラップ、  β…ガードバンド。
【図１】
2005011456.tif 000003
【図２】
2005011456.tif 000004
【図３】
2005011456.tif 000005
【図４】
2005011456.tif 000006
【図５】
2005011456.tif 000007
【図６】
2005011456.tif 000008
【図７】
2005011456.tif 000009
【図８】
2005011456.tif 000010
【図９】
2005011456.tif 000011
【図１０】
2005011456.tif 000012
【図１１】
2005011456.tif 000013
【図１２】
2005011456.tif 000014
【図１３】
2005011456.tif 000015
【図１４】
2005011456.tif 000016
【図１５】
2005011456.tif 000017
【図１６】
2005011456.tif 000018